【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
指示部による表示画面上の指示位置に基づいて表示用画像の生成を行う特定処理モードに移行する処理インイベントと、前記指示位置の変化に応じて発生する変化イベントと、連続する複数の画像を前記表示画面上で切り替えて表示するタイマーイベントとを制御する画像処理装置であって、
前記表示用画像に画像処理を行うための画像処理パラメータと、前記指示位置とを記憶する記憶手段と、
前記処理インイベントが発生した場合、当該処理インイベントが発生した時の前記指示位置を前記記憶手段に記憶させ、前記タイマーイベントを実行するか否かを示すタイマー処理フラグをオンに設定する第１制御手段と、
前記変化イベントが発生する毎に、当該変化イベントが発生した時の前記指示位置と前記記憶手段に記憶された指示位置とに基づいて、前記記憶手段に記憶された画像処理パラメータを更新する更新手段と、
前記特定処理モードが終了した場合、当該特定処理モードが終了した時の前記指示位置を前記記憶手段に記憶する第２制御手段と、
前記タイマーイベントにおいて、前記変化イベントが発生する毎に前記記憶手段に記憶された画像処理パラメータを用いて、前記表示用画像に画像処理を行い、当該画像処理が行われた前記表示用画像を前記表示画面に表示させる表示制御手段と、
を備えることを特徴とする画像処理装置。
【請求項２】
指示部による表示画面上の指示位置に基づいて表示用画像の生成を行う特定処理モードに移行する処理インイベントと、前記指示位置の変化に応じて発生する変化イベントと、連続する複数の画像を前記表示画面上で切り替えて表示するタイマーイベントとを制御する画像処理装置であって、
前記変化イベントが発生する毎に前記表示用画像に対して画像処理を行うための第１画像処理パラメータと、前記表示用画像生成処理モードが終了した時に前記表示用画像に対して画像処理を行うための第２画像処理パラメータを記憶する記憶手段と、
前記処理インイベントが発生した場合、前記特定処理モードを実行しているか否かを示す特定処理中フラグ及び前記タイマーイベントを実行するか否かを示すタイマー処理フラグをオンに設定する第１制御手段と、
前記変化イベントが発生する毎に、当該変化イベントが発生した時の前記指示位置座標に基づいて、前記記憶手段に記憶された前記第１画像処理パラメータを更新する更新手段と、
前記特定処理モードが終了した場合、前記特定処理モードが終了した時の前記指示位置に基づいて、前記記憶手段に記憶された前記第１画像処理パラメータを更新し、当該更新された第１画像処理パラメータを前記第２画像処理パラメータとして更新し、前記特定処理中フラグをオフに設定する第２制御手段と、
前記タイマーイベントにおいて、
前記特定処理中フラグがオンである場合は、前記変化イベントが発生する毎に前記更新手段で更新された前記第１画像処理パラメータを用いて、前記表示用画像に画像処理を行い、当該画像処理が行われた前記表示用画像を前記表示画面に表示し、
前記特定処理中フラグがオフである場合は、前記特定処理モードが終了した時に前記記憶手段に記憶された前記第２画像処理パラメータを用いて、前記表示用画像に画像処理を行い、当該画像処理された前記表示用画像を前記表示画面に表示する表示制御手段と
を備えることを特徴とする画像処理装置。
【請求項３】
前記画像処理パラメータは、前記表示用画像の処理コントラスト高さ及び処理コントラスト幅を変更するためのパラメータである
ことを特徴とする請求項１に記載の画像処理装置。
【請求項４】
前記第１及び第２画像処理パラメータは、前記表示用画像の処理コントラスト高さ及び処理コントラスト幅を変更するためのパラメータである
ことを特徴とする請求項２に記載の画像処理装置。
【請求項５】
前記処理インイベント、前記変化イベント及び前記特定処理モードの終了は、前記指示部によるドラッグ操作に基づいて発生する
ことを特徴とする請求項１または２に記載の画像処理装置。
【請求項６】
前記処理インイベント、前記変化イベント及び前記特定処理モードの終了は、前記指示部によるドラッグ操作を伴わない移動操作に基づいて発生する
ことを特徴とする請求項１または２に記載の画像処理装置。
【請求項７】
前記表示画面は、第１及び第２画像表示領域を含む複数の画像表示領域を有し、
前記第１画像処理パラメータは、前記複数の画像表示領域それぞれに対して、前記記憶手段の専用の第１記憶領域に個別に記憶され、
前記第２画像処理パラメータは、前記複数の画像表示領域に対して、前記記憶手段の共通の第２記憶領域に記憶される
ことを特徴とする請求項２に記載の画像処理装置。
【請求項８】
前記第１画像表示領域に対して、前記処理インイベント、前記変化イベント、前記特定処理モードの終了及び前記タイマーイベントが実行される場合、前記表示制御手段は、
前記特定処理中フラグがオンである場合、前記第１記憶領域に記憶された前記第１画像処理パラメータを用いて、前記表示用画像に画像処理を行い、当該画像処理が行われた前記表示用画像を前記第１画像表示領域に表示し、
前記特定処理中フラグがオフである場合、前記第２記憶領域に記憶された前記第２画像処理パラメータを用いて、前記複数の画像表示領域それぞれの前記表示用画像に画像処理を行い、当該画像処理された前記表示用画像を前記複数の画像表示領域それぞれに表示する
ことを特徴とする請求項７に記載の画像処理装置。
【請求項９】
前記第１制御手段は、前記処理インイベントが発生した場合、当該処理インイベントが発生した時の前記指示位置を前記記憶手段に記憶し、前記特定処理中フラグ及び前記タイマー処理フラグをオンに設定し、
前記更新手段は、前記変化イベントが発生する毎に、当該変化イベントが発生した時の前記指示位置と前記記憶手段に記憶された前記指示位置に基づいて、前記記憶手段に記憶された前記第１画像処理パラメータを更新する
ことを特徴とする請求項２に記載の画像処理装置。
【請求項１０】
指示部による表示画面上の指示位置に基づいて表示用画像の生成を行う特定処理モードに移行する処理インイベントと、前記指示位置の変化に応じて発生する変化イベントと、連続する複数の画像を前記表示画面上で切り替えて表示するタイマーイベントとを制御する画像処理装置の制御方法であって、
前記表示用画像に画像処理を行うための画像処理パラメータと、前記指示位置とを記憶部に記憶する記憶工程と、
前記処理インイベントが発生した場合、当該処理インイベントが発生した時の前記指示位置を前記記憶部に記憶させ、前記タイマーイベントを実行するか否かを示すタイマー処理フラグをオンに設定する第１制御工程と、
前記変化イベントが発生する毎に、当該変化イベントが発生した時の前記指示位置と前記記憶部に記憶された指示位置とに基づいて、前記記憶部に記憶された画像処理パラメータを更新する更新工程と、
前記特定処理モードが終了した場合、当該特定処理モードが終了した時の前記指示位置を前記記憶部に記憶する第２制御工程と、
前記タイマーイベントにおいて、前記変化イベントが発生する毎に前記記憶部に記憶された画像処理パラメータを用いて、前記表示用画像に画像処理を行い、当該画像処理が行われた前記表示用画像を前記表示画面に表示させる表示制御工程と、
を備えることを特徴とする画像処理装置の制御方法。
【請求項１１】
指示部による表示画面上の指示位置に基づいて表示用画像の生成を行う特定処理モードに移行する処理インイベントと、前記指示位置の変化に応じて発生する変化イベントと、連続する複数の画像を前記表示画面上で切り替えて表示するタイマーイベントとを制御する画像処理装置の制御方法であって、
前記変化イベントが発生する毎に前記表示用画像に対して画像処理を行うための第１画像処理パラメータと、前記表示用画像生成処理モードが終了した時に前記表示用画像に対して画像処理を行うための第２画像処理パラメータを記憶部に記憶する記憶工程と、
前記処理インイベントが発生した場合、前記特定処理モードを実行しているか否かを示す特定処理中フラグ及び前記タイマーイベントを実行するか否かを示すタイマー処理フラグをオンに設定する第１制御工程と、
前記変化イベントが発生する毎に、当該変化イベントが発生した時の前記指示位置座標に基づいて、前記記憶部に記憶された前記第１画像処理パラメータを更新する更新工程と、
前記特定処理モードが終了した場合、前記特定処理モードが終了した時の前記指示位置に基づいて、前記記憶部に記憶された前記第１画像処理パラメータを更新し、当該更新された第１画像処理パラメータを前記第２画像処理パラメータとして更新し、前記特定処理中フラグをオフに設定する第２制御工程と、
前記タイマーイベントにおいて、
前記特定処理中フラグがオンである場合は、前記変化イベントが発生する毎に前記更新工程で更新された前記第１画像処理パラメータを用いて、前記表示用画像に画像処理を行い、当該画像処理が行われた前記表示用画像を前記表示画面に表示し、
前記特定処理中フラグがオフである場合は、前記特定処理モードが終了した時に前記記憶部に記憶された前記第２画像処理パラメータを用いて、前記表示用画像に画像処理を行い、当該画像処理された前記表示用画像を前記表示画面に表示する表示制御工程と
を備えることを特徴とする画像処理装置の制御方法。
【請求項１２】
指示部による表示画面上の指示位置に基づいて表示用画像の生成を行う特定処理モードに移行する処理インイベントと、前記指示位置の変化に応じて発生する変化イベントと、連続する複数の画像を前記表示画面上で切り替えて表示するタイマーイベントとを制御する画像処理装置の制御をコンピュータに実行させるためのプログラムであって、
前記表示用画像に画像処理を行うための画像処理パラメータと、前記指示位置とを記憶部に記憶する記憶工程と、
前記処理インイベントが発生した場合、当該処理インイベントが発生した時の前記指示位置を前記記憶部に記憶させ、前記タイマーイベントを実行するか否かを示すタイマー処理フラグをオンに設定する第１制御工程と、
前記変化イベントが発生する毎に、当該変化イベントが発生した時の前記指示位置と前記記憶部に記憶された指示位置とに基づいて、前記記憶部に記憶された画像処理パラメータを更新する更新工程と、
前記特定処理モードが終了した場合、当該特定処理モードが終了した時の前記指示位置を前記記憶部に記憶する第２制御工程と、
前記タイマーイベントにおいて、前記変化イベントが発生する毎に前記記憶部に記憶された画像処理パラメータを用いて、前記表示用画像に画像処理を行い、当該画像処理が行われた前記表示用画像を前記表示画面に表示させる表示制御工程と、
をコンピュータに実行させることを特徴とするプログラム。
【請求項１３】
指示部による表示画面上の指示位置に基づいて表示用画像の生成を行う特定処理モードに移行する処理インイベントと、前記指示位置の変化に応じて発生する変化イベントと、連続する複数の画像を前記表示画面上で切り替えて表示するタイマーイベントとを制御する画像処理装置の制御をコンピュータに実行させるためのプログラムであって、
前記変化イベントが発生する毎に前記表示用画像に対して画像処理を行うための第１画像処理パラメータと、前記表示用画像生成処理モードが終了した時に前記表示用画像に対して画像処理を行うための第２画像処理パラメータを記憶部に記憶する記憶工程と、
前記処理インイベントが発生した場合、前記特定処理モードを実行しているか否かを示す特定処理中フラグ及び前記タイマーイベントを実行するか否かを示すタイマー処理フラグをオンに設定する第１制御工程と、
前記変化イベントが発生する毎に、当該変化イベントが発生した時の前記指示位置座標に基づいて、前記記憶部に記憶された前記第１画像処理パラメータを更新する更新工程と、
前記特定処理モードが終了した場合、前記特定処理モードが終了した時の前記指示位置に基づいて、前記記憶部に記憶された前記第１画像処理パラメータを更新し、当該更新された第１画像処理パラメータを前記第２画像処理パラメータとして更新し、前記特定処理中フラグをオフに設定する第２制御工程と、
前記タイマーイベントにおいて、
前記特定処理中フラグがオンである場合は、前記変化イベントが発生する毎に前記更新工程で更新された前記第１画像処理パラメータを用いて、前記表示用画像に画像処理を行い、当該画像処理が行われた前記表示用画像を前記表示画面に表示し、
前記特定処理中フラグがオフである場合は、前記特定処理モードが終了した時に前記記憶部に記憶された前記第２画像処理パラメータを用いて、前記表示用画像に画像処理を行い、当該画像処理された前記表示用画像を前記表示画面に表示する表示制御工程と
をコンピュータに実行させることを特徴とするプログラム。
【手続補正２】
【補正対象書類名】明細書
【補正対象項目名】００１０
【補正方法】変更
【補正の内容】
【００１０】
上記の目的を達成するための本発明による画像処理装置は以下の構成を備える。即ち、
指示部による表示画面上の指示位置に基づいて表示用画像の生成を行う特定処理モードに移行する処理インイベントと、前記指示位置の変化に応じて発生する変化イベントと、連続する複数の画像を前記表示画面上で切り替えて表示するタイマーイベントとを制御する画像処理装置であって、
前記表示用画像に画像処理を行うための画像処理パラメータと、前記指示位置とを記憶する記憶手段と、
前記処理インイベントが発生した場合、当該処理インイベントが発生した時の前記指示位置を前記記憶手段に記憶させ、前記タイマーイベントを実行するか否かを示すタイマー処理フラグをオンに設定する第１制御手段と、
前記変化イベントが発生する毎に、当該変化イベントが発生した時の前記指示位置と前記記憶手段に記憶された指示位置とに基づいて、前記記憶手段に記憶された画像処理パラメータを更新する更新手段と、
前記特定処理モードが終了した場合、当該特定処理モードが終了した時の前記指示位置を前記記憶手段に記憶する第２制御手段と、
前記タイマーイベントにおいて、前記変化イベントが発生する毎に前記記憶手段に記憶された画像処理パラメータを用いて、前記表示用画像に画像処理を行い、当該画像処理が行われた前記表示用画像を前記表示画面に表示させる表示制御手段と、
を備える。
【手続補正３】
【補正対象書類名】明細書
【補正対象項目名】００１１
【補正方法】変更
【補正の内容】
【００１１】
上記の目的を達成するための本発明による画像処理装置は以下の構成を備える。即ち、
指示部による表示画面上の指示位置に基づいて表示用画像の生成を行う特定処理モードに移行する処理インイベントと、前記指示位置の変化に応じて発生する変化イベントと、連続する複数の画像を前記表示画面上で切り替えて表示するタイマーイベントとを制御する画像処理装置であって、
前記変化イベントが発生する毎に前記表示用画像に対して画像処理を行うための第１画像処理パラメータと、前記表示用画像生成処理モードが終了した時に前記表示用画像に対して画像処理を行うための第２画像処理パラメータを記憶する記憶手段と、
前記処理インイベントが発生した場合、前記特定処理モードを実行しているか否かを示す特定処理中フラグ及び前記タイマーイベントを実行するか否かを示すタイマー処理フラグをオンに設定する第１制御手段と、
前記変化イベントが発生する毎に、当該変化イベントが発生した時の前記指示位置座標に基づいて、前記記憶手段に記憶された前記第１画像処理パラメータを更新する更新手段と、
前記特定処理モードが終了した場合、前記特定処理モードが終了した時の前記指示位置に基づいて、前記記憶手段に記憶された前記第１画像処理パラメータを更新し、当該更新された第１画像処理パラメータを前記第２画像処理パラメータとして更新し、前記特定処理中フラグをオフに設定する第２制御手段と、
前記タイマーイベントにおいて、
前記特定処理中フラグがオンである場合は、前記変化イベントが発生する毎に前記更新手段で更新された前記第１画像処理パラメータを用いて、前記表示用画像に画像処理を行い、当該画像処理が行われた前記表示用画像を前記表示画面に表示し、
前記特定処理中フラグがオフである場合は、前記特定処理モードが終了した時に前記記憶手段に記憶された前記第２画像処理パラメータを用いて、前記表示用画像に画像処理を行い、当該画像処理された前記表示用画像を前記表示画面に表示する表示制御手段と
を備える。